(57)【要約】【課題】  用紙の所定箇所を折り曲げて立体型に組み立てて置物や遊び道具などとして使用でき、更に、組み立てた立体型に付されているホログラムを見る者が子供のような年少者であっても、正しい状態によりホログラムを眺められるようにすることで、ホログラムで映し出される立体画像を効果的に見ることができるようにした組み立て式用紙を提供する。【解決手段】  用紙本体の所定箇所を折り曲げ、立体型に組み立てて使用する組み立て式用紙であって、前記用紙本体は、底面となる底面用紙部と、前記底面用紙部に対して折り曲げて傾斜面として組み立てる複数の傾斜面用紙部とを有し、前記底面用紙部上には、ホログラムが設けられ、前記複数の傾斜面用紙部には、前記用紙を立体型に組み立てた際に、前記ホログラムに対して外部から光を入射するための入光用窓と、外部から前記ホログラムをのぞき見るためののぞき窓とが設けられていることを特徴とする。【選択図】        図1
2005287852.tif 000002
【特許請求の範囲】
【請求項１】
用紙本体の所定箇所を折り曲げ、立体型に組み立てて使用する組み立て式用紙であって、
前記用紙本体は、底面となる底面用紙部と、前記底面用紙部に対して折り曲げて傾斜面として組み立てる複数の傾斜面用紙部とを有し、
前記底面用紙部上には、ホログラムが設けられ、
前記複数の傾斜面用紙部には、前記用紙本体を立体型に組み立てた際に、前記ホログラムに対して外部から光を入射するための入光用窓と、外部から前記ホログラムをのぞき見るためののぞき窓とが設けられていることを特徴とする組み立て式用紙。
【請求項２】
前記用紙本体が、立体型に組み立てた場合に四角錐状に形成され、前記入光用窓と前記のぞき窓とが対向する傾斜面にそれぞれ設けられていることを特徴とする請求項１記載の組み立て式用紙。
【請求項３】
前記組み立て式用紙が、本を構成する用紙の一部に設けられていることを特徴とする請求項１又は請求項２に記載の組み立て式用紙。
【発明の詳細な説明】
【技術分野】
【０００１】
本発明は、用紙の所定箇所を折り曲げ、立体型に組み立てて使用する組み立て式用紙であって、特に立体型に組み立てた状態において、その立体型に形成された内部にホログラムが設けられている組み立て式用紙に関する。
【背景技術】
【０００２】
従来、子供向けの絵本や月間誌の付録などとして、平面状の用紙の所定箇所を折り曲げることで立体型に組み立てて使用する構成の組み立て式用紙が使用されている。
このような組み立て式用紙としては、子供が組み立てることで立体構造として形成し、鑑賞用の置物にしたり、遊び道具として楽しんだりするなど様々な形状に組み立てる仕様のものが考えられる。
【０００３】
また、組み立て式用紙を立体型に組み立てた場合に、装飾効果を上げるために種々の立体画像を映し出せるホログラムをホログラムシールにして所定部分に貼付した構成のものなどがある。
ホログラムは、所定の角度から見た場合に、立体感のある立体画像として見た者の目に映し出されるので、幼稚園児や小学生などの子供向けの書籍などに用いるのに適しており、好奇心旺盛な子供に対して深い関心や装飾的なインパクトを与えることができるなどの効果がある。
【０００４】
しかしながら、組み立て式用紙にホログラムを設けた場合には、それを見る者の位置や、光源の位置及び角度によってホログラムの画像が立体的に見える場合と、平面的に見える場合があると共に、色彩などについても見る角度や光源の位置などにより色彩が異なるために、正しい状態で見ないとホログラム本来の効果が生じないので、見る者に対しホログラムの見方の説明を記載した説明文を予め印刷するなどの配慮が必要となる。
【０００５】
しかしながら、特に子供向けの絵本や月間誌の付録としてホログラムを有する組み立て式用紙に、読者である子供に対してホログラムの見方を解説した説明文を掲載したとしても、子供がこれらの説明文を読まないことも考えられ、また子供がホログラムの見方を正しく理解していないことなどもあり、せっかく組み立て式用紙を用いて立体型に組み立てたとしても、立体型に形成した内部に設けたホログラムの見方を子供がわからないことで、その子供がホログラムに映し出されている美しい立体画像に気づかないまま捨ててしまったりすることも考えられるという問題がある。
【０００６】
尚、従来技術としては、グリーティングカードにのぞき窓と透過型ホログラムと点光源を設けることで、のぞき窓から覗いた際に、透過型ホログラムによって結像された文字、マーク、人物、動物などの映像を目視できるようにしたグリーティングカードが公知となっている。（例えば、特許文献１、参照）
しかしながら、この公知技術においては、組み立て式用紙により立体型に組み立てて使用するものではなく、また透過型ホログラムを設けたのぞき窓から覗き込む構成であり、のぞき窓に目を近づけて見る必要があり、置物や年少者の遊び道具などとして使用するものとは異なるものである。
このため、本発明のように、用紙の所定箇所を折り曲げて立体型に組み立てて置物や遊び道具などとして使用するのには相応しくないという問題がある。
【特許文献１】特開２００１−８０２４８号公報
【発明の開示】
【発明が解決しようとする課題】
【０００７】
本発明は、用紙の所定箇所を折り曲げて立体型に組み立てて置物や遊び道具などとして使用することができ、更に、組み立てた立体型に付されているホログラムを見る者が子供のような年少者であっても、正しい状態によりホログラムを眺められるようにすることで、ホログラムで映し出される立体画像を効果的に見ることができるようにした組み立て式用紙を提供する。
【課題を解決するための手段】
【０００８】
本発明の組み立て式用紙は、用紙本体の所定箇所を折り曲げ、立体型に組み立てて使用する組み立て式用紙であって、前記用紙本体は、底面となる底面用紙部と、前記底面用紙部に対して折り曲げて傾斜面として組み立てる複数の傾斜面用紙部とを有し、前記底面用紙部上には、ホログラムが設けられ、前記複数の傾斜面用紙部には、前記用紙を立体型に組み立てた際に、前記ホログラムに対して外部から光を入射するための入光用窓と、外部から前記ホログラムをのぞき見るためののぞき窓とが設けられていることを特徴とする。
【０００９】
また、本発明の組み立て式用紙は、前記用紙本体が、立体型に組み立てた場合に四角錐状に形成され、前記入光用窓と前記のぞき窓とが対向する傾斜面にそれぞれ設けられていることを特徴とする。
【００１０】
更に、本発明の組み立て式用紙は、前記組み立て式用紙が、本を構成する用紙の一部に設けられていることを特徴とする。
【発明の効果】
【００１１】
本発明の組み立て式用紙は、立体型に組み立てて置物などとして使用することができ、また、立体型に組み立てた状態において、ホログラムに対して外部から光を入射するための入光用窓と、外部からホログラムをのぞき見るためののぞき窓とが設けられているので、たとえ子供のような年少者であっても、のぞき窓から内部をのぞき見ることで、ホログラムで構成されている立体画像を効果的に見ることができるという効果がある。
【００１２】
また、本発明の組み立て式用紙は、四角錐状に形成されて、入光用窓とのぞき窓とが対向する傾斜面にそれぞれ設けられているので、ピラミッドとしての神秘的なイメージを見る者に与えられると共に、これを眺めた者が、のぞき窓を通して立体画像を映し出すホログラムを眺められるので、置物としてインパクトのある装飾効果を有するという効果がある。
【００１３】
更に、本発明の組み立て式用紙は、本を構成する用紙の一部に設けることで、書籍と一体化させた状態で読者に提供することができるという効果がある。
【発明を実施するための最良の形態】
【００１４】
以下、本発明の実施の形態を図面に基づいて詳細に説明する。
図１は、本発明の実施形態に係る組み立て式用紙の平面図、図２は、本発明の実施形態に係る組み立て式用紙により４角錐状に組み立てた状態における平面図、図３は、本発明の実施形態に係る組み立て式用紙により４角錐状に組み立てた状態における斜視図、図４は、図２のＡ−Ａ線断面図、図５は、本発明の実施形態に係る組み立て式用紙を、書籍を構成する用紙の一部に設けた場合を示す斜視図である。
【００１５】
本発明の実施形態に係る組み立て式用紙１は、図１に示すように用紙本体２の中央に位置している底面用紙部２ａを中心として、４本の折り曲げ予定線３ｂ，３ｃ，３ｄ，３ｅを介して４つの三角形状を有する傾斜面用紙部２ｂ，２ｃ，２ｄ，２ｅと連接されている。
そして、底面用紙部２ａに対して、４つの折り曲げ予定線３ｂ，３ｃ，３ｄ，３ｅから、４つの三角形状を有する傾斜面用紙部２ｂ，２ｃ，２ｄ，２ｅをそれぞれ上方に折り曲げて、隣り合う各々の傾斜面用紙部２ｂ，２ｃ，２ｄ，２ｅの側辺同士を付き合わせることでピラミッドのような４角錐状の立体として形成されるように構成されている。
【００１６】
また、組み立て式用紙１の４本の折り曲げ予定線３ｂ，３ｃ，３ｄ，３ｅから折り曲げて、４角錐状の立体に形成した後に、隣り合う各々の傾斜面用紙部２ｂ，２ｃ，２ｄ，２ｅの側辺同士を接着テープなどで貼り合わせることで、４角錐状の立体として固定させて置物や遊び道具などとして使用できるようにしてある。
尚、各々の傾斜面用紙部２ｂ，２ｃ，２ｄ，２ｅの側辺に予め糊代部を設けておいて、４角錐状の立体を形成して糊代部によりのり付けして立体型に固定してもよい。
また、用紙本体２の各々の傾斜面用紙部２ｂ，２ｃ，２ｄ，２ｅには、目的に応じて予め所望のデザインの絵柄やイラストなどを印刷して表示しておくことが好ましい。
【００１７】
用紙本体２の中央に位置している底面用紙部２ａの一部領域には、所望の立体画像を映し出すことができるホログラムを有するホログラムシール４が貼付されている。
ホログラムシール４が貼付されている位置は、図１に示すように、少なくとも底面用紙部２ａの中央よりも傾斜面用紙部２ｄに近い側の部分領域に設けることが好ましいが、底面用紙部２ａの全面の領域にホログラムシール４を貼付してもよい。
【００１８】
また、傾斜面用紙部２ｄの一部には、用紙本体２を矩形状に切り取ったのぞき窓５が形成されている。
傾斜面用紙部２ｄに形成されているのぞき窓５は、外部から見る者が、のぞき窓５から立体の内部をのぞき込んだ際に、底面用紙部２ａに設けられているホログラムシール４が見られる状態となる位置に形成されている。
つまり、組み立て式用紙１を４角錐状の立体として組み立てた状態で置いて、斜め方向からのぞき窓５を見た際に、ホログラムシール４が見られるようにのぞき窓５が設けられている。
【００１９】
また、傾斜面用紙部２ｄと対向する傾斜面用紙部２ｂの一部には、用紙本体２を矩形状に切り取った入光用窓６が形成されている。
この入光用窓６は、ホログラムシール４のホログラムに対して外部から光を入射するために設けられた窓であり、組み立て式用紙１が４角錐状の立体として組み立てられた際に、高さ方向の半分の高さよりも上部に設けられている。
図２に示すように、傾斜面用紙部２ｄに形成されているのぞき窓５と、傾斜面用紙部２ｂに形成されている入光用窓６とは、組み立て式用紙１を４角錐状の立体として組み立てた際に、４角錐形状の対向する各々の傾斜面用紙部に設けられている。
【００２０】
組み立て式用紙１を４本の折り曲げ予定線３ｂ，３ｃ，３ｄ，３ｅにより、４つの三角形状を有する傾斜面用紙部２ｂ，２ｃ，２ｄ，２ｅを折り曲げて、図３に示すようなピラミッドのような４角錐状の立体に形成すると、図４に示すように、入光用窓６から立体内のホログラムシール４に光７が照射され、更にのぞき窓５からのぞいた者の目８に、ホログラムシール４に照射された光が反射して、ホログラムシール４のホログラムによる立体画像が映るように構成されている。
【００２１】
ホログラムシール４のホログラムに映し出される立体画像や色彩は、光源９からホログラムシール４に照射される光と、のぞき窓から覗き込む者との角度によって異なってくるが、いずれにしても、組み立て式用紙１で立体に組み立てられた４角錐状の立体に対して、利用者がのぞき窓から覗き込んで使用することがわかっていれば、ホログラムシール４のホログラムによる立体画像を見られるようにしてある。
【００２２】
上記の本発明の実施形態に係る組み立て式用紙１は、初めから４つの折り曲げ予定線３ｂ，３ｃ，３ｄ，３ｅから各傾斜面用紙部２ｂ，２ｃ，２ｄ，２ｅをそれぞれ上方に折り曲げることで、４角錐状の立体が形成される用紙であるが、図５に示すように、子供向けの絵本などの書籍１０を構成する頁用紙の一部に、組み立て式用紙１を切り取り可能に設けるようにしてもよい。
【００２３】
図５に示す例では、頁用紙１１内に形成されている切り取りミシン１２から切り取ることで、組み立て式用紙１が切り離されるように構成されている。
また、この場合には、頁用紙１１に組み立て式用紙１による立体の作成方法や使用方法などの説明文を印刷しておくことが好ましい。
【００２４】
以上のように、本発明の組み立て式用紙は、組み立て式用紙を立体型に組み立てた際に、利用者が立体型の内部を覗き込むためののぞき窓が設けられているので、利用者がホログラムに対する見方を知らない子供などの年少者であっても、のぞき窓から内部を覗き込むことで、ホログラムの立体画像を見ることができるようにしてある。
【図面の簡単な説明】
【００２５】
【図１】本発明の実施形態に係る組み立て式用紙の平面図である。
【図２】本発明の実施形態に係る組み立て式用紙により４角錐状に組み立てた状態における平面図である。
【図３】本発明の実施形態に係る組み立て式用紙により４角錐状に組み立てた状態における斜視図である。
【図４】図２のＡ−Ａ線断面図である。
【図５】本発明の実施形態に係る組み立て式用紙を、書籍を構成する用紙の一部に設けた場合を示す斜視図である。
【符号の説明】
【００２６】
１  組み立て式用紙
２ａ  底面用紙部
２ｂ，２ｃ，２ｄ，２ｅ  傾斜面用紙部
３ｂ，３ｃ，３ｄ，３ｅ  折り曲げ予定線
４  ホログラムシール
５  のぞき窓
６  入光用窓
７  光
８  目
９  光源
１０  書籍
１１  頁用紙
１２  切り取りミシン
【図１】
2005287852.tif 000003
【図２】
2005287852.tif 000004
【図３】
2005287852.tif 000005
【図４】
2005287852.tif 000006
【図５】
2005287852.tif 000007